(57)【要約】【課題】装置が正常又は異常であることを区別する計測値と、当該計測値に影響を与える他の計測値とを使用して、装置の異常の予兆を検知する。【解決手段】本発明の状態監視装置は、装置が正常又は異常であることを区別する第１の項目の計測値を受け付け、第１の項目に影響を与える１又は複数の第２の項目の計測値を受け付け、第１の項目と第２の項目との関係であって、装置が正常であることが既知である期間における関係を示す近似式を生成する学習部と、診断対象データとして第１の項目の計測値及び第２の項目の計測値を受け付け、診断対象データが近似式から乖離する程度を監視する診断部と、を備えることを特徴とする。【選択図】図５
2020201683.tif 000002
【特許請求の範囲】
【請求項１】
装置が正常又は異常であることを区別する第１の項目の計測値を受け付け、
前記第１の項目に影響を与える１又は複数の第２の項目の計測値を受け付け、
前記第１の項目と前記第２の項目との関係であって、前記装置が正常であることが既知である期間における関係を示す近似式を生成する学習部と、
診断対象データとして前記第１の項目の計測値及び前記第２の項目の計測値を受け付け、
前記診断対象データが前記近似式から乖離する程度を監視する診断部と、
を備えることを特徴とする状態監視装置。
【請求項２】
前記装置は、
水の処理における回転機械であり、
前記第１の項目は、
前記装置の振動速度であり、
前記第２の項目は、
前記装置の温度であること、
を特徴とする請求項１に記載の状態監視装置。
【請求項３】
前記装置は、
水の処理における回転機械であり、
前記第１の項目は、
前記装置の振動速度であり、
前記第２の項目は、
前記装置の回転速度、前記水の粘度、前記水の流速、前記水を貯蔵する水槽の水位、及び、前記水に添加される凝集剤の量のうちのいずれかであること、
を特徴とする請求項１に記載の状態監視装置。
【請求項４】
前記装置は、
水の処理における膜設備であり、
前記第１の項目は、
ファウリングによる差圧であり、
前記第２の項目は、
前記水の温度、前記水の濁度、前記水の流速、膜の使用年数、前記水に添加される凝集剤の量、前記膜の洗浄回数、及び、前記膜の洗浄間隔のうちのいずれかであること、
を特徴とする請求項１に記載の状態監視装置。
【請求項５】
前記診断部は、
前記診断対象データの第２の項目の計測値を前記生成した近似式に入力して得られた値と、前記診断対象データの第１の項目の計測値との間の差分を評価すること、
を特徴とする請求項１に記載の状態監視装置。
【請求項６】
前記診断部は、
前記近似式の係数の更新前後における変化に基づき、前記装置を診断すること、
を特徴とする請求項１に記載の状態監視装置。
【請求項７】
前記第１の項目は、
複数の下位項目を含み、
前記学習部は、
前記下位項目のそれぞれと前記第２の項目との関係であって、前記装置が正常であることが既知である期間における関係を示す複数の下位近似式を、前記下位項目のそれぞれについて生成し、
前記診断部は、
前記診断対象データの第２の項目の計測値を前記生成した複数の下位近似式のそれぞれに入力して得られた値と、前記診断対象データの対応する下位項目の計測値との間の差分を、前記下位項目のそれぞれについて算出し、前記算出した差分の二乗和の平方根を評価すること、
を特徴とする請求項１に記載の状態監視装置。
【請求項８】
前記近似式は、
複数のノード及び前記複数のノード間の重みを有するニューラルネットワークであること、
を特徴とする請求項１に記載の状態監視装置。
【請求項９】
前記第１の項目の計測値と前記第２の項目の計測値との複数の組合せを、シミュレータを使用することによって又は前記装置の環境を意図的に変化させることによって模擬的に生成し、
前記模擬的に生成した組合せを使用して前記近似式を生成する疑似データ生成部を備えること、
を特徴とする請求項１に記載の状態監視装置。
【請求項１０】
装置が正常又は異常であることを区別する第１の項目の計測値を受け付け、
前記第１の項目に影響を与える１又は複数の第２の項目の計測値を受け付け、
前記第１の項目と前記第２の項目との関係であって、前記装置が正常であることが既知である期間における関係を示す近似式を生成する学習部と、
診断対象データとして前記第１の項目の計測値及び前記第２の項目の計測値を受け付け、
前記診断対象データが前記近似式から乖離する程度を算出したうえで表示し、
前記算出した程度が第１の閾値を超えた場合、第１の警報を発する診断部と、
を備えることを特徴とする状態監視装置。
【請求項１１】
前記診断部は、
前記診断対象データの前記第１の項目の計測値が第２の閾値を超えた場合、第２の警報を発すること、
を特徴とする請求項１０に記載の状態監視装置。
【請求項１２】
前記診断部は、
前記受け付けた第１の項目の計測値、前記受け付けた第２の項目の計測値、及び、前記近似式を図形で表示すること、
を特徴とする請求項１０に記載の状態監視装置。
【請求項１３】
前記診断部は、
前記診断対象データの第２の項目の計測値を前記生成した近似式に入力して得られた値と、前記診断対象データの第１の項目の計測値との間の差分を時系列で表示すること、
を特徴とする請求項１０に記載の状態監視装置。
【請求項１４】
前記診断部は、
ネットワークを経由して前記第１の警報を遠隔地に送信すること、
を特徴とする請求項１０に記載の状態監視装置。
【請求項１５】
前記診断部は、
前記診断対象データの第２の項目の計測値を前記生成した近似式に入力して得られた値と、前記診断対象データの第１の項目の計測値との間の差分の所定の直近期間における平均値に基づいて、前記診断対象データが前記近似式から乖離する程度を算出すること、
を特徴とする請求項１０に記載の状態監視装置。
【請求項１６】
前記診断部は、
前記受け付けた第１の項目の計測値の統計量に基づき、前記第１の閾値を算出すること、
を特徴とする請求項１０に記載の状態監視装置。
【請求項１７】
前記診断部は、
前記算出した程度が前記第１の閾値を連続して超える回数が所定の数に達した場合、前記第１の警報を発すること、
を特徴とする請求項１０に記載の状態監視装置。
【請求項１８】
前記診断部は、
前記診断対象データの前記第１の項目の計測値が装置停止時に得られる範囲内である場合、前記第１の警報を発しないこと、
を特徴とする請求項１０に記載の状態監視装置。
【請求項１９】
前記診断部は、
前記算出した程度が前記第１の閾値を超え、かつ、前記診断対象データの前記第１の項目の計測値が装置停止時に得られる範囲を所定の回数連続して逸脱する場合、前記第１の警報を発すること、
を特徴とする請求項１０に記載の状態監視装置。
【請求項２０】
装置が正常又は異常であることを区別する第１の項目の計測値を受け付け、
前記第１の項目に影響を与える１又は複数の第２の項目の計測値を受け付け、
前記第１の項目と前記第２の項目との関係であって、前記装置が正常であることが既知である期間における関係を示す近似式を生成する学習部と、
過去に蓄積された前記第１の項目及び前記第２の項目の計測値についての統計量に基づき、前記第１の項目及び前記第２の項目の疑似データを生成し、
前記生成した疑似データを使用して前記近似式を更新し、
前記統計量が取得された時点後の任意の時点において、過去に蓄積された前記第１の項目及び前記第２の項目の計測値を廃棄する疑似データ生成部と、
を備えることを特徴とする状態監視装置。
【請求項２１】
装置が正常又は異常であることを区別する第１の項目の計測値を受け付け、
前記第１の項目に影響を与える１又は複数の第２の項目の計測値を受け付け、
前記第１の項目と前記第２の項目との関係であって、前記装置が正常であることが既知である期間における関係を示す近似式を生成する学習部と、
前記近似式を更新する指示を受け付けたことを契機として、
過去に蓄積された前記第１の項目及び前記第２の項目の計測値についての統計量に基づき、前記第１の項目及び前記第２の項目の疑似データを生成し、
前記生成した疑似データ、及び、過去に蓄積された前記第１の項目及び前記第２の項目の計測値を使用して前記近似式を更新する疑似データ生成部と、
を備えることを特徴とする状態監視装置。
【請求項２２】
装置が正常又は異常であることを区別する第１の項目の計測値を受け付け、
前記第１の項目に影響を与える１又は複数の第２の項目の計測値を受け付け、
前記第１の項目と前記第２の項目との関係であって、前記装置が正常であることが既知である期間における関係を示す近似式を生成する学習部と、
所定の周期が経過したことを契機として、
過去に蓄積された前記第１の項目及び前記第２の項目の計測値についての統計量に基づき、前記第１の項目及び前記第２の項目の疑似データを生成し、
前記生成した疑似データ、及び、過去に蓄積された前記第１の項目及び前記第２の項目の計測値を使用して前記近似式を更新する疑似データ生成部と、
を備えることを特徴とする状態監視装置。
【発明の詳細な説明】
【技術分野】
【０００１】
本発明は、状態監視装置に関する。
【背景技術】
【０００２】
運転中の装置からセンサ等で計測した計測値を使用して、装置の異常を事前に診断する技術が普及している。特許文献１の工程監視方法は、製品の製造工程において取得されたデータから主成分を設定し、当該主成分に基づいてマハラノビス距離の二乗値を算出し、当該二乗値に基づいて製品の出来映えを予測する。
【０００３】
非特許文献１は、機械の“クラス”（規模）ごと、かつ、振動速度（ｍｍ／ｓ、ＲＭＳ）の範囲ごとに、“ゾーン”（異常度の段階）を定義した表を開示している。例えば、出力１５ｋＷ以下の汎用電動機の振動速度が、０.７１ｍｍ／ｓ以下である場合、電動機は、新品同様であると評価される。
【先行技術文献】
【特許文献】
【０００４】
【特許文献１】特開２００９−７６７７２号公報
【非特許文献】
【０００５】
【非特許文献１】ＪＩＳ  Ｂ  ０９０６、“機械振動−非回転部分における機械振動の測定と評価−一般的指針”、５.３.１、附属書Ｂ
【発明の概要】
【発明が解決しようとする課題】
【０００６】
特許文献１の工程監視方法は、診断対象のデータと、既存の正常データのサンプルを示すクラスタとの間のマハラノビス距離を求めることを前提としている。いま仮に、そのマハラノビス距離が充分大きく、診断対象のデータは、既存のクラスタのいずれにも属さないとする。この場合、製品は異常であるのか、それとも、製品は過去に経験したことのない正常な状態にあるのかは不明である。
【０００７】
非特許文献１は、機械が正常又は異常であることを区別する値（振動速度）を評価する。しかしながら、機械の異常の予兆を検知できたとしても、その時点では手遅れである可能性が高い。非特許文献１は、振動速度に影響を与える他の計測値の活用等については言及していない。
そこで、本発明は、装置が正常又は異常であることを区別する計測値と、当該計測値に影響を与える他の計測値とを使用して、装置の異常の予兆を検知することを目的とする。
【課題を解決するための手段】
【０００８】
本発明の状態監視装置は、装置が正常又は異常であることを区別する第１の項目の計測値を受け付け、第１の項目に影響を与える１又は複数の第２の項目の計測値を受け付け、第１の項目と第２の項目との関係であって、装置が正常であることが既知である期間における関係を示す近似式を生成する学習部と、診断対象データとして第１の項目の計測値及び第２の項目の計測値を受け付け、診断対象データが近似式から乖離する程度を監視する診断部と、を備えることを特徴とする。
その他の手段については、発明を実施するための形態のなかで説明する。
【発明の効果】
【０００９】
本発明によれば、装置が正常又は異常であることを区別する計測値と、当該計測値に影響を与える他の計測値とを使用して、装置の異常の予兆を検知することができる。
【図面の簡単な説明】
【００１０】
【図１】状態監視装置の構成等を説明する図である。
【図２】計測値・推測値情報の一例である。
【図３】近似式を説明する図である。
【図４】差分を説明する図である。
【図５】振動速度と差分の時系列推移を説明する図である。
【図６】振動速度がベクトルである場合の計測値・推測値情報の一例である。
【図７】計測値を全量再生する場合の計測値・推測値情報の一例である。
【図８】計測値を一部再生する場合の計測値・推測値情報の一例である。
【図９】学習処理手順のフローチャートである。
【図１０】診断処理手順のフローチャートである。
【図１１】監視画面の一例である。
【図１２】近似式更新処理手順のフローチャートである。
【発明を実施するための形態】
【００１１】
以降、本発明を実施するための形態（“本実施形態”という）を、図等を参照しながら詳細に説明する。本実施形態は、水処理プラントにおいて、回転機械の一種である攪拌機の状態を監視し異常の予兆を検知する例である。しかしながら、本発明は、攪拌機以外の回転機械、回転機械以外の装置、及び、水処理プラント以外における装置に対しても適用可能である。
【００１２】
（状態監視装置）
図１は、状態監視装置１の構成等を説明する図である。状態監視装置１は、一般的なコンピュータであり、中央制御装置１１、マウス、キーボード等の入力装置１２、ディスプレイ、スピーカ等の出力装置１３、主記憶装置１４、補助記憶装置１５及び通信装置１６を備える。これらは、バスで相互に接続されている。補助記憶装置１５は、計測値・推測値情報３１、近似式３２、統計量情報３３及び閾値情報３４（いずれも詳細後記）を格納している。
【００１３】
主記憶装置１４における学習部２１、診断部２２及び疑似データ生成部２３は、プログラムである。中央制御装置１１は、これらのプログラムを補助記憶装置１５から読み出し主記憶装置１４にロードすることによって、それぞれのプログラムの機能（詳細後記）を実現する。補助記憶装置１５は、状態監視装置１から独立した構成となっていてもよい。
【００１４】
水処理プラント４は、河川等の自然環境から取得した原水を一時的に貯蔵する第１水槽４１、第１水槽の原水に対して凝集剤を添加する凝集剤添加装置４５、凝集剤を添加された原水を攪拌する攪拌機４６を有する。水処理プラント４は、さらに、攪拌された原水を一時的に貯蔵し汚濁物質を沈殿させる第２水槽４２、第１水槽４１及び第２水槽４２を連結する配管４３、及び、配管４３内の原水を第２水槽４２の方向に流すポンプ４４を有する。
【００１５】
水処理プラント４の各設備には、多種多様なセンサ４７が配置されている。例えば、センサ４７ａは、攪拌機４６の軸受の振動速度（ｍｍ／ｓ、ＲＭＳ）を計測する。センサ４７ｂは、攪拌機４６の温度（℃）を計測する。センサ４７ｃは、攪拌機４６の回転軸の回転速度（ｒｐｍ）を計測する。センサ４７ｄは、第１水槽４１内の原水の粘度（ｃｍ２／ｓ）を計測する。センサ４７ｅは、第１水槽４１内の原水の水位（ｃｍ）を計測する。センサ４７ｆは、配管４３内を流れる原水の流速（ｃｍ３／ｓ）を計測する。センサ４７ｇは、第１水槽４１内の原水に添加される凝集剤の質量（ｍｇ／リットル）を計測する。
【００１６】
各センサ４７は、状態監視装置１の通信装置１６に接続されている。各センサ４７は、ネットワーク３を介して状態監視装置１の通信装置１６に接続されていてもよい。状態監視装置１は、ネットワーク３を介して遠隔地の警報受信装置２に接続されている。状態監視装置１が、警報受信装置２の機能を兼ねていてもよい。
【００１７】
（計測値・推測値情報）
図２は、計測値・推測値情報３１の一例である。計測値・推測値情報３１においては、時刻欄１０１に記憶された時刻に関連付けて、計測値欄１０２には計測値が、推測値欄１０３には推測値が、差分欄１０４には差分が、既知情報欄１０５には既知情報が、診断結果欄１０６には診断結果が、期間名欄１０７には期間名が記憶されている。
【００１８】
時刻欄１０１の時刻は、各センサ４７が計測値を取得した時点の年月日時分秒である。
計測値欄１０２の計測値は、各センサ４７が計測した計測値である。図２の例では、計測値欄１０２は、攪拌機４６の軸受の振動速度（欄１０２ａ）、攪拌機４６の回転軸の回転速度（欄１０２ｂ）、第１水槽４１内の原水の粘度（欄１０２ｃ）、及び、配管４３内を流れる原水の流速（欄１０２ｄ）という４つの項目を有する。計測値は、例えば、攪拌機４６の温度、原水の水位、原水に添加される凝集剤の質量のように、他のセンサ４７が計測したものであってもよい。
【００１９】
本実施形態は、攪拌機４６の異常の予兆を検知する。攪拌機４６の異常（その予兆）は、振動速度として最も顕著に現れる。したがって、振動速度（欄１０２ａ）は、攪拌機４６が正常又は異常であることを区別する項目であり、請求項の“第１の項目”に相当する。このような項目は、以降の説明においても“第１の項目”と呼ばれる。回転速度（欄１０２ｂ）、粘度（欄１０２ｃ）及び流速（欄１０２ｄ）のそれぞれは、第１の項目に影響を与える項目であり、請求項の“第２の項目”に相当する。このような項目は、以降の説明においても“第２の項目”と呼ばれる。
【００２０】
振動速度には、“Ｙ”が割り当てられ、回転速度、粘度及び流速のそれぞれには、“Ｘ１”、“Ｘ２”及び“Ｘ３”が割り当てられている。このことは、回転速度、粘度及び流速を説明関数とし、振動速度を目的変数とする関数“Ｙ＝Ｆ（Ｘｉ）”が想定され得ることを意味する（ｉ＝１、２、３、・・・）。ここでの関数とは、回帰式としての近似式３２である。“＃”は、異なる値を省略的に示している（図６等においても同様）。なお、請求項の“第１の項目の計測値”には、“Ｙ”が相当し、“第２の項目の計測値”には、“Ｘｉ”が相当する。
【００２１】
推測値欄１０３の推測値は、近似式３２に対して“Ｘｉ”を説明変数の値として入力した結果得られた目的変数の値である。ここでの目的変数の値は、振動速度を示すものであるが、センサが計測した計測値ではなく、近似式３２の出力としての推測値である。このことを明確にするために、欄１０３の振動速度には、小文字の“ｙ”が割り当てられている。つまり、“ｙ＝Ｆ（Ｘｉ）”は、“計測値としての説明変数の値がＸｉである場合、目的変数の値は、理論的にｙとなるはずである”ことを示している。“−”は、その欄にデータがないことを意味する（詳細後記）。図２の説明の途中であるが、図３に進む。
【００２２】
図３は、近似式３２を説明する図である。図３においては、回転速度Ｘ１を横軸とし、振動速度Ｙ、ｙを縦軸とする座標平面に、７個の点●及び近似式３２が描画されている。図２において説明変数Ｘｉが３種類存在するのに対し、図３において説明変数は１種類（Ｘ１）しか存在しない。これは、単に説明の単純化のためである（後記する図４も同様）。７個の点●は、図２の学習期間（詳細後記）における７本のレコード（行）の“Ｙ，Ｘ１”の組合せに相当する。状態監視装置１は、７個の点●を使用して回帰分析を行い、回帰式としての近似式３２を生成する。具体的には、状態監視装置１は、例えば一次式としての近似式３２の係数（傾き及び切片）を決定する。図２に戻る。
【００２３】
差分欄１０４の差分は、振動速度の実測値（欄１０２ａ）から振動速度の推測値（欄１０３）を減算した値の絶対値である。当該欄における“＃”に対して付された“＜Ｔｈ”及び“≧Ｔｈ”は、差分の値が所定の閾値と比較された結果を示し、“−”は、その欄にデータがないことを意味する（詳細後記）。図２の説明の途中であるが、図４に進む。
【００２４】
図４は、差分を説明する図である。図４においては、回転速度Ｘ１を横軸とし、振動速度Ｙ、ｙを縦軸とする座標平面に、１個の点■及び近似式３２が描画されている。１個の点■は、図２の診断期間（詳細後記）におけるある１本のレコードの“Ｙ，Ｘ１”の組合せに相当する。状態監視装置１は、点■の縦軸の座標値Ｙから、点■を通る垂直線と近似式３２との交点の縦軸の座標値ｙを減算した値の絶対値を差分とする。差分は、診断対象データが近似式から乖離する程度を示している。図２に戻る。
【００２５】
既知情報欄１０５の既知情報は、その時刻において既知である攪拌機４６の状態である。既知情報は、“正常”又は“異常”のいずれかであり得るが、図２においては、説明の単純化のために、すべてが“正常”である。“−”は、その欄にデータがないことを意味する（詳細後記）。
診断結果欄１０６の診断結果は、状態監視装置１が攪拌機４６に対して行った診断の結果であり、“正常”又は“異常”のいずれかである。“異常”は、攪拌機４６の停止、破壊等の顕在的な異常以外にも、一見正常に稼働しているように見えるが実は顕在的な異常の前触れである“予兆”を含む。“−”は、その欄にデータがないことを意味する（詳細後記）。
【００２６】
期間名欄１０７の期間名は、“学習期間”又は“診断期間”のいずれかである。“学習期間”は、その時刻において、状態監視装置１が、正常状態にある攪拌機４６の計測値のサンプルを取得していることを示す。つまり、学習期間においては、攪拌機４６が正常であることが既知の前提となっている。“診断期間”は、各時刻において、状態監視装置１が、攪拌機４６の診断（正常又は異常の判断）を行っていることを示す。当然、診断期間において診断結果が判明するまでは、攪拌機４６が正常であるか否かは未知である。
【００２７】
図２を全体的に見ると以下のことがわかる。
・２０１９年３月１０日から１６日までの毎日１０時００分００秒に、状態監視装置１は、稼働中の攪拌機４６について振動速度、回転速度、粘度及び流速の計測値を取得した。
・当該期間は、攪拌機４６が正常であることが既知である学習期間である。そして、状態監視装置１は、サンプルとしての計測値を取得する処理以外の処理を行っていない。したがって、推測値欄１０３、差分欄１０４及び診断結果欄１０６には“−”が記憶されている。
【００２８】
・２０１９年３月１７日から２０日までの毎日１０時００分００秒に、状態監視装置１は、稼働中の攪拌機４６について振動速度、回転速度、粘度及び流速の計測値を取得した。
・当該期間は、診断結果が判明するまでは攪拌機４６が正常であるか否かが未知である診断期間である。したがって、既知情報欄１０５には“−”が記憶されている。
【００２９】
・図２からは直接わからないが、前記したように、診断期間においては、近似式３２が既に生成されている。
・そこで、状態監視装置１は、診断期間の各時刻において、まず近似式３２に“Ｘｉ”を入力することによって推測値“ｙ”を算出し、次に差分“｜Ｙ−ｙ｜”を算出し、さらに差分に対して閾値を適用している。
・状態監視装置１は、“差分＜閾値”であれば、攪拌機４６は正常であり、“差分≧閾値”であれば、攪拌機４６は異常であると診断している。
【００３０】
（振動速度と差分の時系列推移）
図５は、振動速度と差分の時系列推移を説明する図である。図５の横軸は、時間である。縦軸は、振動速度（左目盛）及び差分（右目盛）である。振動速度は、攪拌機４６の第１の項目である。差分は、攪拌機４６の振動速度の計測値から推測値を減算した値の絶対値である。よって、ある時点の差分は、当該時点の振動速度よりも、推測値（近似式３２上の点の縦軸の値）の分だけ小さい。したがって、図５においては、差分の目盛を振動速度の目盛の１／１０として、差分の変化を強調している。
【００３１】
振動速度のグラフ５１が立ち上がる相当前の時点において、差分のグラフ５２が立ちあがっている。グラフ５２が立ちあがった後、グラフ５１が立ち上がる前の期間において、攪拌機４６は、異常の予兆を呈している。この期間に、顕在的な異常を回避するような対策が必要である。
【００３２】
（攪拌機以外の例）
水処理プラント４は、原水を濾過する膜設備を有してもよい（図示せず）。状態監視装置１は、攪拌機４６と同様に、膜設備を監視する。この場合、センサ４７は、ファウリングによる差圧、原水の温度、原水の濁度、原水の流速、及び、原水に添加される凝集剤の質量を計測する。さらに、センサ（カウンタ）は、膜設備の使用年数、洗浄回数及び洗浄間隔を広義の計測値として取得する。ファウリングによる差圧とは、膜の前後の水圧の差分であり、膜に多くの汚れが付着するほど差圧は大きい。
【００３３】
この例では、請求項の“第１の項目”には、ファウリングによる差圧が相当し、“第２の項目”には、原水の温度、原水の濁度、原水の流速、原水に添加される凝集剤の質量、膜設備の使用年数、膜設備の洗浄回数、及び、膜設備の洗浄間隔が相当する。以降では、引き続き、攪拌機４６の例を説明する。
【００３４】
（第１の項目の次元数）
前記では、第１の項目としての振動速度は、１次元のスカラであることを前提としてきた。しかしながら、振動速度は、多次元のベクトルであってもよい。このとき、ベクトルの各成分は、例えば振動の方向（上下、左右、前後）に割り当てられてもよいし、振動の周波数帯（高周波、低周波）に割り当てられてもよい。
【００３５】
図６は、振動速度がベクトルである場合の計測値・推測値情報３１ｂの一例である。図２に比して、図６が異なる点は、以下の通りである。
・計測値欄１０２における振動速度に関する欄は、低周波振動速度欄１０２ａ及び高周波振動速度欄１０２ａａの２つの下位項目から構成されている。
・推測値欄１０３は、低周波振動速度欄１０３ａ及び高周波振動速度欄１０３ｂから構成されている。
【００３６】
・近似式３２として、２つの下位近似式“ｙ１＝Ｆ１（Ｘｉ）”及び“ｙ２＝Ｆ２（Ｘｉ）”が存在する。１つの近似式がベクトル“（ｙ１，ｙ２）”を出力する構成としてもよい。
・差分の計算式が、“√[（Ｙ１−ｙ１）２＋（Ｙ２−ｙ２）２]”に代わっている。“√”は、平方根を示す。
【００３７】
（計測値の廃棄と再生）
図２及び図６においては説明目的のために単純化されているが、実際には計測値のデータ量は、膨大になる場合が多い。本実施形態では、状態監視装置１は、学習期間の計測値を学習データとして使用して、近似式３２を生成（学習）する。状態監視装置１がこれらの計測値を使用した後もそのまま記憶し続けると、無視できない程度に記憶領域を消費する。そこで、状態監視装置１は、使用済みの計測値を廃棄（削除）してもよい。
【００３８】
学習データが一旦廃棄された後、再度必要になる場合もある。この対策として、まず、状態監視装置１は、学習データを廃棄する前に、その統計量を取得し補助記憶装置１５に記憶しておく。ここでの統計量は、例えば、データ数、計測値の種類（振動速度、回転速度、粘度、流速、・・・）ごとの平均、及び、計測値の種類ごとの分散である。状態監視装置１は、記憶していた統計量を使用して、専ら近似式３２を生成するための学習データとしての計測値を必要な分だけ生成する。計測値が、例えば正規分布に従う場合、この方法は有効である。状態監視装置１は、統計量を攪拌機４６が使用された条件（季節、負荷量、運転条件等）に関連付けて記憶しておいてもよい。
【００３９】
前記のように計測値を再生することによって、直近の過去における計測値が存在しない、又は、不足している場合でも、状態監視装置１は、計測値の全量又は一部の不足分を新たに生成することができる。再生された計測値のデータ群全体としての統計量は、当然、過去に廃棄した計測値と同じであるが、個々の計測値の値は、過去に廃棄した計測値とは異なる。その意味で、再生された計測値は、“疑似データ”とも呼ばれる。
【００４０】
図７は、計測値を全量再生する場合の計測値・推測値情報３１ｃの一例である。図２に比して、図７が異なる点は、以下の通りである。
・診断期間の直近の過去において、計測値は存在しない（“＊”がこのことを示す）。
・診断期間の約１年前の同季節に計測値が計測された。そして、その計測値は、学習データとして使用された後、廃棄された。しかしながら、廃棄される直前の計測値の統計量が補助記憶装置１５に記憶されている。
【００４１】
・そこで、状態監視装置１は、その統計量を使用して前記した方法で疑似データを生成し、２０１９年３月１０日から１６日までのレコードに記憶した。“＊”は、その計測値が実際に計測されたものではなく、疑似データであることも示す（図８でも同様）。時刻欄１０１の時刻に付された下線は、その時刻において疑似データが実際の計測値を代替していることを示す（図８でも同様）。
【００４２】
図８は、計測値を一部再生する場合の計測値・推測値情報３１ｄの一例である。図２に比して、図８が異なる点は、以下の通りである。
・診断期間は、２０１９年３月２４日から２７日である。
・診断期間の直近の過去において、計測値の取得が何らかの理由で一旦中断された後再開された結果、測定値は、必要なデータ量（７日分）に対して４日分だけ不足している。つまり、２０１９年３月２１日から２３日までの計測値は存在するが、２０１９年３月１７日から２０日までの計測値は存在しない。
【００４３】
・診断期間と同じ月に計測値が計測された。そして、その計測値は学習データとして使用された後、廃棄された。しかしながら、廃棄される直前の計測値の統計量が補助記憶装置１５に記憶されている。
・そこで、状態監視装置１は、その統計量を使用して前記した方法で疑似データを生成し、２０１９年３月１７日から２０日までのレコードに記憶した。
【００４４】
（近似式の更新）
近似式３２は、第１の項目と、第２の項目との関係を示す。すると、仮に近似式３２が含む説明変数及び目的変数の種類が同じであったとしても、攪拌機４６の運転条件、運転環境等が変化すれば、近似式３２も当然変化する。換言すれば、運転条件ごと運転環境ごとに、多くの近似式３２が存在することになる。そして、過去に存在しなかった新たな運転環境、運転条件等が発生する都度、状態監視装置１は、新たな運転環境、運転条件等を反映した近似式を新たに作成するのが望ましい。同様に、状態監視装置１は、過去には存在したが将来再現する見込みのない運転環境、運転条件等を反映した近似式を廃棄（又は別途保管）するのが望ましい。
【００４５】
近似式を学習するための計測値（学習データ）は、一般に以下の部分の混合物である。
〈部分Ａｐｉ〉直近の過去を含む過去の特定の期間ｐｉにおいてセンサが計測した計測値
〈部分Ｂｑｉ〉過去の特定の期間ｑｉにおける計測値の統計量に基づき状態監視装置１が再生した計測値（疑似データ）
【００４６】
状態監視装置１は、混合比率“（部分Ａｐ１：部分Ａｐ２：・・・：部分Ｂｑ１：部分Ｂｑ２：・・・）＝（＃：＃：・・・：＃：＃：・・・）”をユーザが入力するのを受け付ける。状態監視装置１は、混合比率に応じて、複数の部分の計測値を統合（ブレンド）する。ユーザは、攪拌機４６を今後どのような運転環境、運転条件等で使用するかによって、統合比率を決める。
【００４７】
図８において、状態監視装置１は、混合比率“（部分Ａｐ１：部分Ｂｑ１）＝（３／７：４／７）”で、部分Ａｐ１及び部分Ｂｑ１を統合し、７日分の学習データとしている。ここで、期間ｐ１は、２０１９年３月２１日から２３日までであり、期間ｑ１は、２０１９年３月１０日から１６日までである。状態監視装置１は、統合後の計測値を使用して学習した近似式３２を記憶することもできる。この近似式は、２０１９年３月１０日から１６日まで及び２１日から２３日までの運転環境、運転条件等を反映している。
【００４８】
図７に戻る。状態監視装置１は、混合比率“（部分Ｂｑ１）＝（７／７）”で、部分Ｂｑ１のみを学習データとしている。ここで、期間ｑ１は、２０１８年３月１０日から１６日までである。状態監視装置１は、この学習データを使用して生成した近似式３２を記憶することもできる。この近似式は、２０１８年３月１０日から１６日までの運転環境、運転条件等を反映している。
【００４９】
（処理手順）
以降で処理手順を説明する。処理手順として、学習処理手順、診断処理手順及び近似式更新処理手順の３つが存在する。診断処理手順及び近似式更新処理手順が開始されるためには、学習処理手順が既に終了していることが前提になっている。
【００５０】
（学習処理手順）
図９は、学習処理手順のフローチャートである。
ステップＳ２０１において、状態監視装置１の学習部２１は、学習データを取得する。具体的には、第１に、学習部２１は、学習期間において、所定のセンサ４７から、当該センサ４７が計測する計測値を取得する。
第２に、学習部２１は、計測値・推測値情報３１（図２）の新たなレコードを作成し、計測値欄１０２に計測値を記憶する。
【００５１】
第３に、学習部２１は、時刻欄１０１に各センサ４７が計測値を取得した時刻を記憶し、既知情報欄１０５に“正常”を記憶し、期間名欄１０７に“学習期間”を記憶する。
学習部２１は、所定の回数だけステップＳ２０１の処理を繰り返す。所定の回数とは、計測値が、統計的に有意な程度に計測値・推測値情報３１のレコードとして蓄積される回数（レコードの本数）である。学習部２１は、現時点におけるレコードの本数が所定の回数に達していることをユーザに問い合わせて確認してもよい。
【００５２】
ステップＳ２０２において、学習部２１は、近似式３２を生成する。具体的には、学習部２１は、ステップＳ２０１の“第２”において記憶した測定値を使用して、図３において説明した方法で近似式３２を作成する。図３の近似式３２は、２次元の近似式であるが、近似式の次元数は、制限されない。近似式３２は、１又は複数の説明変数の入力に対して、１又は複数の目的変数を出力するものであれば何でもよい。
【００５３】
ステップＳ２０３において、学習部２１は、統計量を取得する。具体的には、学習部２１は、ステップＳ２０１の“第２”において記憶した測定値の、データ数（レコード数）、平均及び分散を算出する。学習部２１は、平均及び分散を計測値の種類ごとに算出する。平均及び分散は、あくまでも統計量の一例に過ぎない。学習部２１は、後に疑似データを再生し得るような任意の種類の統計量を、学習データの分布の形に応じて算出する。
【００５４】
ステップＳ２０４において、学習部２１は、近似式及び統計量を記憶する。具体的には、第１に、学習部２１は、ステップＳ２０２において生成した近似式の係数（傾き、切片等）を、近似式３２として補助記憶装置１５に記憶する。
第２に、学習部２１は、ステップＳ２０３において算出した統計量を、統計量情報３３として補助記憶装置１５に記憶する。
【００５５】
ステップＳ２０５において、学習部２１は、学習データを廃棄する。具体的には、第１に、学習部２１は、学習データ（計測値）を廃棄する旨の指示をユーザが入力装置１２を介して入力するのを受け付ける。
第２に、学習部２１は、ステップＳ２０１の“第２”において記憶したデータを廃棄（削除）する。
その後、学習処理手順を終了する。
【００５６】
（診断処理手順）
図１０は、診断処理手順のフローチャートである。
ステップＳ３０１において、状態監視装置１の診断部２２は、閾値を受け付ける。具体的には、診断部２２は、ユーザが入力装置１２を介して第１の閾値及び第２の閾値を入力するのを受け付ける。第１の閾値は、差分に対して適用される１又は複数の閾値である。本実施形態では、大きさの異なる８つの閾値（Ｔｈ０＜Ｔｈ１＜・・・＜Ｔｈ７）が入力されるものとする。第２の閾値は、第１の項目（図２では、振動速度）に対して適用される１つの閾値ＴｈＳである。診断部２２は、これらの閾値を閾値情報３４として、補助記憶装置１５に記憶する。
【００５７】
ステップＳ３０２において、診断部２２は、診断対象データを取得する。具体的には、診断部２２は、診断期間において、所定のセンサ４７から、当該センサ４７が計測する計測値を取得する。ここで取得された計測値は、“診断対象データ”と呼ばれ、診断対象データは、第１の項目Ｙ及び第２の項目Ｘｉの計測値を含む。
【００５８】
ステップＳ３０３において、診断部２２は、近似式３２を取得する。具体的には、診断部２２は、補助記憶装置１５から、近似式３２（近似式の係数）を取得する。
ステップＳ３０４において、診断部２２は、推測値を算出する。具体的には、診断部２２は、ステップＳ３０３において取得した近似式に対して、ステップＳ３０２において取得した診断対象データのうちの第２の項目の計測値を入力することによって、第１の項目の推測値ｙを算出する。
【００５９】
ステップＳ３０５において、診断部２２は、差分を算出する。具体的には、診断部２２は、ステップＳ３０２において取得した診断対象データに含まれる第１の項目の計測値ＹからステップＳ３０４において算出した第１の項目の推測値ｙを減算した値の絶対値を算出する。
【００６０】
ステップＳ３０６において、診断部２２は、差分に閾値を適用する。具体的には、診断部２２は、ステップＳ３０５において算出した差分に対して第１の閾値を適用し、ステップＳ３０２において取得した診断対象データに含まれる第１の項目の計測値に対して、第２の閾値を適用する。
【００６１】
ステップＳ３０７において、診断部２２は、差分が閾値を超えるか否かを判断する。具体的には、診断部２２は、差分が第１の閾値のうちの少なくとも１つを超え、かつ／又は、第１の項目の計測値が第２の閾値を超える場合（ステップＳ３０７“Ｙｅｓ”）、ステップＳ３０８に進む。診断部２２は、それ以外の場合（ステップＳ３０７“Ｎｏ”）、ステップＳ３０９に進む。分岐条件中の“かつ／又は”は、前後の２つの条件のうち、少なくとも１つが満たされることを示している。診断部２２は、ここでの分岐条件を“かつ”に限定してもよい。説明の便宜上、ここでは２つの条件が同時に満たされたものとする。
【００６２】
ステップＳ３０８において、診断部２２は、警報を発する。具体的には、診断部２２は、監視画面６１（図１１）を出力装置１３に表示する。このとき、診断部２２は、ネットワーク３を介して、監視画面６１を警報受信装置２の出力装置に表示してもよい。図１０の説明の途中であるが、図１１に進む。
【００６３】
図１１は、監視画面６１の一例である。診断部２２は、差分警報欄６２において、差分と８つの第１の閾値との大小関係に応じて、８つの警報ランプ６２ａ〜６２ｈのうちの１〜８個を点灯させる。図１１の例では、この大小関係は、“Ｔｈ４＜差分≦Ｔｈ５”である。差分が大きいほど点灯する警報ランプの数は多くなる。
【００６４】
診断部２２は、計測値警報欄６３において、警報ランプ６３ａを点灯させる。警報ランプ６３ａの点灯は、第１の項目の計測値が第２の閾値を超えていることを意味する。さらに、診断部２２は、欄６４に、近似式３２、学習データとしての計測値（７つの●）、及び、現在の診断対象データ■６５を描画した座標平面を表示する。この座標平面は、図３及び図４の内容を合わせたもののである。診断部２２は、座標平面に替えて多次元空間を表示してもよい。
【００６５】
診断部２２は、欄６６に、振動速度のグラフ５１及び差分のグラフ５２を表示する。これらのグラフは、図５のグラフ５１及びグラフ５２のうち、現在時点を示す垂直の破線より左の部分である。診断部２２が警報を発するタイミング、すなわち、監視画面６１を表示させるタイミングについては、いくつかの変形例が存在する（詳細後記）。図１０に戻る。
【００６６】
ステップＳ３０９において、診断部２２は、診断結果等を記憶する。具体的には、第１に、診断部２２は、計測値・推測値情報３１（図２）の新たなレコードを作成し、計測値欄１０２に計測値（診断対象データ）を記憶する。
第２に、診断部２２は、時刻欄１０１に各センサ４７が計測値（診断対象データ）を取得した時刻を記憶し、期間名欄１０７に“診断期間”を記憶する。
【００６７】
第３に、診断部２２は、推測値欄１０３にステップＳ３０４において算出した推測値を記憶し、差分欄１０４に、ステップＳ３０５において算出した差分及びその差分と第１の閾値との大小関係を記憶する。
第４に、診断部２２は、差分が少なくとも１つの第１の閾値を超える場合、診断結果欄１０６に“異常”を記憶し、それ以外の場合、診断結果欄１０６に“正常”を記憶する。
その後、診断処理手順を終了する。
【００６８】
診断部２２は、ステップＳ３０２〜Ｓ３０９の処理を所定の周期で繰り返す、又は、ユーザの指示を契機として繰り返す。当該繰り返し処理が実行される都度、計測値・推測値情報３１（図２）において、診断期間のレコードが蓄積されて行く。
【００６９】
（近似式更新処理手順）
図１２は、近似式更新処理手順のフローチャートである。
ステップＳ４０１において、状態監視装置１の疑似データ生成部２３は、処理開始の契機を受け付ける。具体的には、疑似データ生成部２３は、ユーザが、入力装置１２を介して、“近似式更新指示”を入力するのを受け付ける。疑似データ生成部２３は、予めユーザが指定する任意の周期を補助記憶装置１５に記憶しておき、その周期が経過する都度、ユーザから近似式更新指示を受け付けたものと看做してもよい。
【００７０】
周期の例としては、例えば以下が挙げられる。
・前回近似式を更新した後、所定の期間が到来する。
・前回近似式を更新した後、計測値・推測値情報３２における計測値（学習データ）が所定の数だけ蓄積される。
【００７１】
ステップＳ４０２において、疑似データ生成部２３は、混合比率を受け付ける。具体的には、疑似データ生成部２３は、ユーザが入力装置１２を介して混合比率を入力するのを受け付ける。前記したように、混合比率とは、“過去のどの時点の計測値、及び／又は、過去のどの時点の計測値の統計量に基づく疑似データをどのような比率でブレンドして、近似式生成用の学習データとするか”を示す比率である。説明の単純化のため、ここでユーザは、混合比率“（部分Ａｐ１：部分Ｂｑ１）＝（３／７：４／７），ｐ１＝２０１９年３月２１日から２３日まで，ｑ１＝２０１９年３月１０日から１６日まで”を入力したとする。当該例は、図８の例である。
【００７２】
ステップＳ４０３において、疑似データ生成部２３は、過去の計測値等を取得する。具体的には、第１に、疑似データ生成部２３は、２０１９年３月２１日から２３日までにおける計測値を計測値・推測値情報３２から取得する。なお、混合比率が部分Ａｐｉを含まない場合（例えば図７）、疑似データ生成部２３は、ステップＳ４０３の“第１”を省略する。
第２に、疑似データ生成部２３は、２０１９年３月１０日から１６日までにおける削除済の計測値の統計量を補助記憶装置１５から取得する。
【００７３】
ステップＳ４０４において、疑似データ生成部２３は、疑似データを生成する。具体的には、疑似データ生成部２３は、ステップＳ４０３の“第２”において取得した統計量に基づいて、４日分の疑似データを生成する。疑似データ生成部２３は、ここで生成した疑似データを、ユーザが指定する計測値・推測値情報３２の任意のレコード（例えば図８の２０１９年３月１７日から２０日までのレコード）に記憶してもよい。
【００７４】
ステップＳ４０５において、疑似データ生成部２３は、新たな学習データを準備する。具体的には、疑似データ生成部２３は、ステップＳ４０３の“第１”において取得したデータ及びステップＳ４０４において生成した疑似データを統合し、７日分の学習データとする。ここで“統合する”とは、複数の部分を合わせて一体化することである。
【００７５】
ステップＳ４０６において、疑似データ生成部２３は、近似式３２を生成する。具体的には、第１に、疑似データ生成部２３は、ステップＳ４０５において準備した学習データを使用して、図３で説明した方法で近似式３２を新たに学習する。
第２に、疑似データ生成部２３は、新たに学習した近似式３２を補助記憶装置１５に記憶する。疑似データ生成部２３は、ステップＳ４０５において準備した計測値（学習データ）を廃棄してもよい。
その後、近似式更新処理手順は終了する。なお、新たな近似式３２は、診断処理手順（図１０）のステップＳ３０３において、診断部２２によって取得されることになる。
【００７６】
（変形例１：発報タイミング）
ステップＳ３０７において、診断部２２は、差分の移動平均が第１の閾値のうちの少なくとも１つを超え、かつ／又は、第１の項目の計測値の移動平均が第２の閾値を超える場合に、ステップＳ３０８に進んでもよい。差分の移動平均とは、今回の差分を含む直近の過去のｎ回分（ｎ＝２、３、４、・・・）の差分の平均値である。第１の項目の計測値の移動平均とは、今回を含む直近の過去のｍ回分（ｍ＝２、３、４、・・・）の第１の項目の計測値の平均値である。診断部２２は、ユーがｎ及びｍの値を予め入力するのを受け付けておく。
【００７７】
（変形例２：発報タイミング）
ステップＳ３０７において、診断部２２は、差分が第１の閾値のうちの少なくとも１つを連続して超える回数ｃ１及び第１の項目の計測値が第２の閾値を連続して超える回数ｃ２をカウントしておく。診断部２２は、回数ｃ１が所定の閾値に達した場合、かつ／又は、回数ｃ２が所定の閾値に達した場合、ステップＳ３０８に進んでもよい。診断部２２は、ユーザが回数ｃ１についての閾値、及び、回数ｃ２についての閾値を予め入力するのを受け付けておく。
【００７８】
（変形例３：発報タイミング）
ステップＳ３０７において、診断部２２は、第１の項目の計測値が停止範囲にある場合、差分の値の大小に関係なく、ステップＳ３０９に進んでもよい。停止範囲とは、攪拌機４６が停止しているときに第１の項目の計測値が取る範囲である。診断部２２は、ユーザが停止範囲を予め入力するのを受け付けておく。
【００７９】
（変形例４：発報タイミング）
ステップＳ３０７において、診断部２２は、差分が第１の閾値のうちの少なくとも１つを超え、かつ、第１の項目の計測値が停止範囲を所定の回数連続して逸脱する場合に、ステップＳ３０８に進んでもよい。
【００８０】
（変形例５：閾値の自動生成）
診断部２２は、計測値を使用して任意の方法で第１の閾値及び第２の閾値を自動的に生成してもよい。診断部２２は、例えば以下に示すような、第１の閾値を算出する数式及び第２の閾値を算出する数式をユーザが入力するのを予め受け付けておく。
【００８１】
・第１の閾値＝α×σ
σは、第１の項目の計測値Ｙの任意の期間における分散であり、αは正の定数である。
・第２の閾値＝β×μ
μは、第１の項目の計測値Ｙの任意の期間における平均であり、βは正の定数である。
そして、診断部２２は、任意のタイミングでσ及びμを算出し、第１の閾値及び第２の閾値を更新する。
【００８２】
（変形例６：近似式の係数に応じた診断）
診断部２２は、近似式３２を更新する前後における近似式の係数の変化に応じて、攪拌機４６が正常であるか、それとも、異常であるかを判断してもよい。例えば、更新後の係数の値ａｎｅｗから更新前の係数の値ａｏｌｄを減算した結果の絶対値が所定の閾値を超えた場合、診断部２２は、監視画面６１を表示し、その旨の警報を発してもよい。
【００８３】
（変形例７：ニューラルネットワーク）
近似式３２は、入力層、中間層及び出力層に属する複数のノード、各ノードを連結するリンク、並びに、あるノードから発する複数のリンクに関連付けられた重みから構成されるニューラルネットワークであってもよい。
【００８４】
（変形例８：計測値の模擬生成）
前記では、疑似データ生成部２３が計測値の統計量を使用して疑似データを生成する例を説明した。この例では、疑似データは、“疑似”と命名されてはいるが、実際にセンサが取得した計測値の特徴を受け継いでいる。疑似データ生成部２３は、説明変数Ｘｉの値及び目的変数Ｙの値の異なる複数の組合せを、任意の規則に従ってシミュレータ（任意のコンピュータ）に模擬的に発生させ、それを疑似データとしてもよい。疑似データ生成部２３は、ユーザに攪拌機４６の環境を意図的に変化させ（例えばヒータの設定温度を上昇させる）、その変化に応じてセンサ４７が取得する説明変数Ｘｉの値及び目的変数Ｙの値の異なる複数の組合せを疑似データとしてもよい。疑似データ生成部２３は、これらの組合せを使用して、近似式３２を更新することができる。
【００８５】
（変形例９：学習データを廃棄するタイミング）
学習部２１及び疑似データ生成部２３は、計測値の統計量が取得された時点後の任意の時点において、当該統計量を廃棄することができる。以下に挙げる任意の時点の例のうち、慎重性の観点からは、例４が望ましい。記憶領域の早期確保の観点からは、例１が望ましい。
例１：計測値の統計量が取得された直後
例２：統計量に基づき疑似データが再生された直後
例３：疑似データに基づき近似式が生成された直後
例４：近似式が更新された直後
【００８６】
（本実施形態の効果）
本実施形態の状態監視装置の効果は以下の通りである。
（１）状態監視装置は、装置の正常／異常を区別するものとして通常認識されている計測値だけでなく、その他の計測値も使用して装置の異常を高精度で検知することができる。
（２）状態監視装置は、計測値と他の計測値との関係を学習するための学習データの統計量を取得した後、計測値そのものを廃棄して記憶領域を節約できる。
（３）状態監視装置は、センサが取得した計測値と、統計量に基づき再生した疑似データを合わせて、学習データとすることができる。
【００８７】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８８】
１      状態監視装置
２      警報受信装置
３      ネットワーク
４      水処理プラント
１１    中央制御装置
１２    入力装置
１３    出力装置
１４    主記憶装置
１５    補助記憶装置
１６    通信装置
２１    学習部
２２    診断部
２３    疑似データ生成部
３１    計測値・推測値情報
３２    近似式
３３    統計量情報
３４    閾値情報
【図１】
2020201683.tif 000003
【図２】
2020201683.tif 000004
【図３】
2020201683.tif 000005
【図４】
2020201683.tif 000006
【図５】
2020201683.tif 000007
【図６】
2020201683.tif 000008
【図７】
2020201683.tif 000009
【図８】
2020201683.tif 000010
【図９】
2020201683.tif 000011
【図１０】
2020201683.tif 000012
【図１１】
2020201683.tif 000013
【図１２】
2020201683.tif 000014